(57)【特許請求の範囲】
【請求項１】
電柱に棒状の腕部材が配設され、前記腕部材上にケーブルが支持されている状態において、鳥類が前記腕部材に巣を作るのを防止する営巣防止装置であって、
前記腕部材の一端側に配設される第１の取付部と、
前記腕部材の他端側に配設される第２の取付部と、
棒状で、前記腕部材の軸方向と略垂直な展開面を有する扇の骨のように、前記第１の取付部に配設される複数の第１の支持部と、
棒状で、前記腕部材の軸方向と略垂直な展開面を有する扇の骨のように、前記第２の取付部に配設される複数の第２の支持部と、
線状で、一端部が前記第１の支持部の上端部に固定され、張られた状態で、他端部が前記第１の支持部に対向する前記第２の支持部の上端部に固定される複数の線材と、
を備え、
前記複数の線材が前記腕部材の上方周辺に位置するケーブルを覆うように、前記第１の支持部と第２の支持部とが配設されている、
ことを特徴とする営巣防止装置。
【請求項２】
前記第１の取付部と第２の取付部とは、前記腕部材に差し込むことで前記腕部材に配設可能で、
前記第１の支持部の第２の支持部との上端部に、一方の方向からのみ挿入可能な挿入孔が設けられ、前記線材を前記挿入孔に挿入することで、前記線材が前記第１の支持部と第２の支持部との間に配設される、
ことを特徴とする請求項１に記載の営巣防止装置。
【発明の詳細な説明】
【技術分野】
【０００１】
この発明は、鳥類が電柱周りに巣を作るのを防止する営巣防止装置に関する。
【背景技術】
【０００２】
カラスなどの鳥類が、春先に電柱の腕金などに巣を作ることで、配電線事故が発生するケースが後を絶たない。このため、巡視点検などで巣を見つけた場合には、巣を撤去して、風車や針式の鳥害防止具などを腕金などに取り付け、鳥類が巣を作るのを防止している。しかしながら、このような防止策を施しても、次から次に営巣場所を変えられたり、鳥類が慣れたりするため、実効的に防止することが困難であった。
【０００３】
一方、電柱の腕木に、糸を張り渡したカバーを取り付けることで、腕木に営巣するのを防止する技術が知られている（例えば、特許文献１参照。）。
【先行技術文献】
【特許文献】
【０００４】
【特許文献１】実開平０２−０６０４２６号公報
【発明の概要】
【発明が解決しようとする課題】
【０００５】
ところで、本願発明者は、詳細な観察・調査、考察の結果、カラスなどが図７に示すようにして巣を作ることを確認した。すなわち、碍子１０２を介して腕金１０１に支持された電線１０３にカラスＣがとまり、そこから枝などの営巣材１１０を腕金１０１に向けて落とし、腕金１０１に引っかかった営巣材１１０を基にして下地を作り、その中に巣を作るものである。このように、腕金１０１にとまって営巣するのではなく、腕金１０１近くの電線１０３にとまって腕金１０１に営巣することが確認された。
【０００６】
このため、上記の特許文献１の技術では、糸を張り渡したカバーを腕木自体に取り付けたとしても、カラスなどが腕木近くの電線にとまって、カバーの上に巣を作ってしまう場合がある。つまり、営巣を効果的に防止することができない。
【０００７】
そこでこの発明は、営巣をより効果的に防止することが可能な営巣防止装置を提供することを目的とする。
【課題を解決するための手段】
【０００８】
上記課題を解決するために、請求項１の発明は、電柱に棒状の腕部材が配設され、前記腕部材上にケーブルが支持されている状態において、鳥類が前記腕部材に巣を作るのを防止する営巣防止装置であって、前記腕部材の一端側に配設される第１の取付部と、前記腕部材の他端側に配設される第２の取付部と、棒状で、前記腕部材の軸方向と略垂直な展開面を有する扇の骨のように、前記第１の取付部に配設される複数の第１の支持部と、棒状で、前記腕部材の軸方向と略垂直な展開面を有する扇の骨のように、前記第２の取付部に配設される複数の第２の支持部と、線状で、一端部が前記第１の支持部の上端部に固定され、張られた状態で、他端部が前記第１の支持部に対向する前記第２の支持部の上端部に固定される複数の線材と、を備え、前記複数の線材が前記腕部材の上方周辺に位置するケーブルを覆うように、前記第１の支持部と第２の支持部とが配設されている、ことを特徴とする。
【０００９】
この発明によれば、腕部材の一端側に、複数の第１の支持部が扇状に配設された第１の取付部が配設され、腕部材の他端側に、複数の第２の支持部が扇状に配設された第２の取付部が配設されて、各第１の支持部と第２の支持部との間に線材が配設される。そして、これらの複数の線材が、腕部材の上方周辺に位置するケーブルを覆う状態となる。
【００１０】
請求項２の発明は、請求項１に記載の営巣防止装置において、前記第１の取付部と第２の取付部とは、前記腕部材に差し込むことで前記腕部材に配設可能で、前記第１の支持部の第２の支持部との上端部に、一方の方向からのみ挿入可能な挿入孔が設けられ、前記線材を前記挿入孔に挿入することで、前記線材が前記第１の支持部と第２の支持部との間に配設される、ことを特徴とする。
【発明の効果】
【００１１】
請求項１の発明によれば、腕部材（腕金）の上方周辺に位置するケーブルを覆うように、複数の線材が配設されるため、カラスなどの鳥類が腕部材近くのケーブルにとまることが困難となる。このため、鳥類が腕部材近くのケーブルにとまって、枝などの営巣材を腕部材に向けて落として巣を作ることができなくなり、営巣をより効果的に防止することが可能となる。
【００１２】
請求項２の発明によれば、腕部材に差し込むだけで、第１の取付部と第２の取付部とを腕部材に配設することができ、しかも、線材を挿入孔に挿入するだけ、線材を第１の支持部と第２の支持部との間に配設することができる。つまり、単純な作業・操作で営巣防止装置を取り付けることができ、この結果、人が直接接しない間接工具・間接活線工具による取付・配設が可能となる。
【図面の簡単な説明】
【００１３】
【図１】この発明の実施の形態に係る営巣防止装置を示す概略正面図（ａ）と概略側面図（ｂ）である
【図２】図１の営巣防止装置の取付金具を示す正面図（ａ）と、平面図（ｂ）と、右側面図（ｃ）と、左側面図（ｄ）である。
【図３】図１の営巣防止装置のテグスが張られた状態（Ａ）と切断した状態（Ｂ）とを示す図である。
【図４】図１の営巣防止装置の固定具を示す正面図（ａ）と、左側面図（ｂ）と、平面図（ｃ）と、底面図（ｄ）と、テグスの挿入方向を示す図（ｅ）である。
【図５】この発明の実施の形態において、第２の取付金具の取付位置を変えた変形例を示す概略正面図である。
【図６】図５の第２の取付金具を示す正面図（ａ）と、平面図（ｂ）と、右側面図（ｃ）と、左側面図（ｄ）である。
【図７】従来におけるカラスの営巣方法を示す正面図（ａ）と側面図（ｂ）である。
【発明を実施するための形態】
【００１４】
以下、この発明を図示の実施の形態に基づいて説明する。
【００１５】
図１は、この発明の実施の形態に係る営巣防止装置１を示す概略正面図（ａ）と概略側面図（ｂ）である。この営巣防止装置１は、鳥類が腕金（腕部材）１０１に巣を作るのを防止する装置であり、主として、第１の取付金具（第１の取付部）２と、第２の取付金具（第２の取付部）３と、支持棒（第１の支持部、第２の支持部）４と、テグス（線材）５とを備えている。ここで、電柱１００の上部に、棒状の腕金１０１が水平に突出するように配設され、腕金１０１上に配設された碍子１０２を介して電線（ケーブル）１０３が支持されており、鳥類がカラスＣの場合について主として説明する。
【００１６】
第１の取付金具２は、腕金１０１の一端側（図１（ａ）中右側）に配設される金物で、第２の取付金具３は、腕金１０１の他端側（図１（ａ）中左側）に配設される金物であり、両取付金具２、３は、同等な構成のため、第１の取付金具２についてのみ説明する。この第１の取付金具２は、図２に示すように、一方が開口した筒状で、腕金１０１の端部を開口端から挿入し（第１の取付金具２を腕金１０１に差し込み）、ボルト２１を締め付けることで、腕金１０１に取り付けられるようになっている。
【００１７】
また、第１の取付金具２の他端には、略扇型の配設板２２が設けられている。この配設板２２の板面は、腕金１０１の軸方向と垂直で、上端から下端側に向って支持棒４を挿入する配設穴２２ａが、放射線状に複数形成されている。すなわち、支持棒４を挿入、配設した際に、腕金１０１の軸方向と略垂直な展開面を有する扇の骨のように、複数の支持棒４が配設されるようになっている。また、配設板２２の自由端面には、配設穴２２ａに沿って配設ネジ２３が螺合され、支持棒４を配設穴２２ａに挿入して配設ネジ２３を締め付けることで、支持棒４が固定、配設されるようになっている。
【００１８】
さらに、支持棒４を配設して、後述するようにしてテグス５を支持棒４間に配設した際に、図１に示すように、複数のテグス５が腕金１０１の上方周辺に位置する電線１０３を覆うように、支持棒４の配設、つまり配設穴２２ａの配置が設定されている。ここで、図１（ｂ）に示すエリアＳは、営巣をさせないようにカラスＣの侵入を防止・制限する領域であり、このエリアＳが支持棒４によって形成されるように、配設穴２２ａの配置および支持棒４の長さが設定されている。
【００１９】
支持棒４は、棒状で、上記のようにして第１の取付金具２の配設板２２に配設される。この支持棒４は、電気絶縁性や耐候性、さらには、高い弾性・バネ性を有する材料、例えば、グラファイトや強化プラスチックなどで構成されている。一方、配設板２２は、図３に示すように、腕金１０１の軸方向に対して垂直ではなく、上方に行く従って斜め外側（１〜３°）に向くように形成、配設されている。そして、後述するようにして支持棒４の上端部に配設されたテグス５が、図中Ａの状態から切断した場合に、図中Ｂに示すように支持棒４が外側（反腕金１０１側）に反り返り、これに伴ってテグス５も外側に反り返って、テグス５が電線１０３に触れないようになっている。
【００２０】
また、支持棒４の上端部には、固定具４１が取り付けられている。この固定具４１は、図４に示すように、略円柱形で、下端面から装着穴４１ａが形成され、この装着穴４１ａに支持棒４が圧入・装着されることで、支持棒４に固定具４１が取り付けられている。また、固定具４１の側面から略円錐形の挿入孔４１ｂが形成され、一方の方向、つまり大口径側からのみテグス５を挿入可能となっている。すなわち、図４（ｅ）に示すように、方向Ｃからはテグス５を挿入孔４１ｂに挿入できるが、方向Ｃと逆の方向へはテグス５をスライドさせることができず（挿入孔４１ｂが変形してテグス５に対してクサビとなり）、テグス５を挿入孔４１ｂに挿入して挿入を停止すれば、テグス５が挿入孔４１ｂによって固定される。
【００２１】
ここで、図４の固定具４１は、図１における右側の固定具４１を示し、図１における左側の固定具４１は、図４の固定具４１とは逆方向からのみテグス５を挿入可能となっている。そして、後述するようにして、固定具４１間にテグス５が配設されるようになっている。
【００２２】
テグス５は、透明な線状の釣糸で、一端部が第１の取付金具２の支持棒４の上端部に固定され、張られた状態で、他端部が対向する第２の取付金具３の支持棒４の上端部に固定される。具体的には、テグス５の一端部を第１の取付金具２の支持棒４の固定具４１の挿入孔４１ｂに、図４（ｅ）の方向Ｃから挿入する。さらに、テグス５の他端部を第２の取付金具３の支持棒４であって、一端部が挿入された支持棒４に対向する支持棒４の固定具４１に、図４（ｅ）の逆方向Ｃから挿入する。そして、両固定具４１から挿出されたテグス５の端部を引っ張ることで、テグス５が張られた状態となり、かつ、テグス５の両端部が両固定具４１で固定される。
【００２３】
このように、テグス５を固定具４１の挿入孔４１ｂに挿入することで、テグス５が互いに対向する支持棒４間に配設されるものである。そして、このような配設状態では、各テグス５が互いに平行で、しかも、腕金１０１に平行で、電線１０３に対して略直交している。
【００２４】
次に、このような構成の営巣防止装置１の取付方法や作用などについて説明する。
【００２５】
営巣防止装置１を取り付けるには、まず、配設板２２に支持棒４を配設した状態で、取付金具２、３の開口端から腕金１０１の端部を挿入し、ボルト２１を締め付けて、取付金具２、３を腕金１０１に取り付ける。この際、腕金１０１の挿入は、棒体の先端にヤットコ状の工具が付いた間接活線工具で行い、ボルト２１の締め付けは、スパナ状の工具が付いた間接活線工具で行う。
【００２６】
次に、上記のように、テグス５の両端部を両支持棒４の固定具４１の挿入孔４１ｂに挿入することで、互いに対向する支持棒４間にテグス５を配設する。この際、テグス５の挿入孔４１ｂへの挿入は、先端にヤットコ状の工具が付いた間接活線工具で行う。
【００２７】
このような取付状態では、図１に示すように、複数のテグス５が腕金１０１の上方周辺に位置する電線１０３を覆い、エリアＳにはカラスＣが侵入できない状態となる。このため、カラスＣが腕金１０１近くの電線１０３にとまって、枝などの営巣材を腕金１０１に向けて落として巣を作ることができなくなり、営巣をより効果的に防止することが可能となる。
【００２８】
しかも、カラスＣなどは、目に見えにくいものが体に接触するのを嫌う性質を有するため、透明なテグス５がカラスＣに接触することで、カラスＣがエリアＳに侵入するのをより効果的に防止することができる。さらに、テグス５によってカラスＣの侵入を防止するだけであるため、カラスＣに危害・損傷を与えることがない。
【００２９】
また、取付金具２、３に腕金１０１の端部を挿入したり、テグス５を挿入孔４１ｂに挿入したりするだけの単純な作業・操作で、営巣防止装置１を取り付けることができる。この結果、上記のように、間接活線工具１による取付・配設が可能となり、電線１０３が活線状態であっても、安全に作業を行うことができる。しかも、営巣防止装置１の取付に制限・制約がなく、既設の電柱１００にも取り付けることができる。
【００３０】
さらに、テグス５が切断した場合には、上記のように支持棒４とテグス５とが反り返り、テグス５が電線１０３に触れず、しかも、発見されやすくなる。また、このように切断した場合には、固定具４１から挿出されたテグス５の端部、例えば、図４（ｅ）において挿入孔４１ｂの右側から突出した端部を、間接活線工具１で把持して引っ張ることで、テグス５を容易、安全に取り除くことができる。
【００３１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、第１の取付金具２と第２の取付金具３とを、それぞれ腕金１０１の端部に配設しているが、腕金１０１の取付状態や長さなどに応じて他の位置に配設してもよい。例えば、図５に示すように、第２の取付金具３を腕金１０１の付け根側に配設してもよい。この場合、第２の取付金具３は、図６に示すように、腕金１０１を挿入するための貫通孔３ａが形成された筒状となり、腕金１０１の任意の位置に配設でき、配設板３２は、本体３１の端部上面に設けられる。
【００３２】
また、上記の実施の形態では、取付金具２、３と支持棒４とが別体で、支持棒４が着脱自在となっているが、取付金具２、３と支持棒４（取付部と支持部）とを一体的に構成してもよい。同様に、固定具４１（挿入孔４１ｂ）を支持棒４に一体的に設けてもよい。さらに、支持棒４の上端部にリールを備え、テグス５が切断した場合にテグス５を自動で巻き取ることで、電線１０３との接触をより確実に防ぐようにしてもよい。また、電柱は電力柱に限らず通信柱であってもよく、同様に、ケーブルは通信線であってもよい。
【符号の説明】
【００３３】
１        営巣防止装置
２        第１の取付金具（第１の取付部）
３        第２の取付金具（第２の取付部）
４        支持棒（第１の支持部、第２の支持部）
４１      固定具
４１ｂ    挿入孔
５        テグス（線材）
１００    電柱
１０１    腕金（腕部材）
１０２    碍子
１０３    電線（ケーブル）
Ｃ        カラス（鳥類）
【図１】
0005730715.tif 000002
【図２】
0005730715.tif 000003
【図３】
0005730715.tif 000004
【図４】
0005730715.tif 000005
【図５】
0005730715.tif 000006
【図６】
0005730715.tif 000007
【図７】
0005730715.tif 000008